(57)【要約】【課題】  加熱によりキャップ内の空気の圧力上昇しても、上蓋が開蓋しないようにするとともに、温水シャワー時に、温水がキャップ内に侵入することを防止することができるヒンジキャップを提供すること。【解決手段】  容器の口筒部に装着されるキャップ本体と、ヒンジを介してキャップ本体に連設された上蓋とからなるヒンジキャップにおいて、キャップ本体は、周縁上面に蓋係合筒部を立設した上壁と、上壁の外周縁から垂設され、容器の口筒部外周に係合する外筒と、外筒の外周に隙間を形成して連設される外周リングとを具え、上蓋は、頂壁と、頂壁外縁に垂設された側周壁とを具え、側周壁の内周下部には、キャップ本体の蓋係合筒部に係合する係合段部が凹設され、側周壁の下端面には、キャップ本体の外周リングと外筒との間に嵌挿されるリング状筒が垂設されていることを特徴とする。【選択図】  図１
2014008985.tif 000002
【特許請求の範囲】
【請求項１】
容器の口筒部に装着されるキャップ本体と、ヒンジを介してキャップ本体に連設された上蓋とからなるヒンジキャップにおいて、
キャップ本体は、周縁上面に蓋係合筒部を立設した上壁と、上壁の外周縁から垂設され、容器の口筒部外周に係合する外筒と、外筒の外周に隙間を形成して連設される外周リングとを具え、
上蓋は、頂壁と、頂壁外縁に垂設された側周壁とを具え、
側周壁の内周下部には、キャップ本体の蓋係合筒部に係合する係合段部が凹設され、側周壁の下端面には、キャップ本体の外周リングと外筒との間に嵌挿されるリング状筒が垂設されていることを特徴とするヒンジキャップ。
【請求項２】
リング状筒の内周下端には、内方が外筒の外周上部と係合するシール突条が突設されていることを特徴とする請求項１記載のヒンジキャップ。
【発明の詳細な説明】
【技術分野】
【０００１】
本発明は、容器の口部に装着されるキャップ本体にヒンジを介して上蓋が連設されたヒンジキャップに関し、とくに容器内に充填した加熱殺菌された内容液によりキャップ内の空気が加熱されたとき、内圧が上昇してキャップの上蓋が開蓋することを防止するとともに、温水シャワーによる冷却時に、温水をキャップ内に吸い込むことを防止するようにしたヒンジキャップに関するものである。
【背景技術】
【０００２】
殺菌のために加熱された内容液を充填した容器に装着されるヒンジキャップにおいて、内容液を充填して容器内部を殺菌し、ヒンジキャップを打栓して容器に装着した後、次いで容器外部より温水シャワーで洗浄、冷却することは従来より行われている。
【先行技術文献】
【特許文献】
【０００３】
【特許文献１】特開２０００−２７２６４８号公報
【発明の概要】
【発明が解決しようとする課題】
【０００４】
しかしながら、上記特許文献１記載のヒンジキャップ付き容器では、加熱により、キャップ内の空気圧が急激に上昇した場合、空気圧が上蓋（２０）の側壁部（２２）を押圧して外方に変形させることで、側壁部（２２）と中蓋（２）の係合凹部（９）との係合が外れ、上蓋（２０）が開蓋することがあった。
また、キャップ内の空気圧により空気の流通路を形成、または閉鎖しているので、キャップ内の空気圧が高くなって空気の流通路が形成されているときに、容器外から温水シャワーで冷却すると、キャップ内の空気圧が急激に低下し、空気の流通路が閉鎖される前に空気と一緒に温水までキャップ内に吸い込むという問題があった。
【０００５】
本発明は、上記問題を解決することを課題とし、加熱によりキャップ内の空気の圧力上昇しても、上蓋が開蓋しないようにするとともに、温水シャワー時に、温水がキャップ内に侵入することを防止することができるヒンジキャップを提供することを目的とする。
【課題を解決するための手段】
【０００６】
本発明は、上記の課題を解決するため、ヒンジキャップとして、容器の口筒部に装着されるキャップ本体と、ヒンジを介してキャップ本体に連設された上蓋とからなるヒンジキャップにおいて、キャップ本体は、周縁上面に蓋係合筒部を立設した上壁と、上壁の外周縁から垂設され、容器の口筒部外周に係合する外筒と、外筒の外周に隙間を形成して連設される外周リングとを具え、上蓋は、頂壁と、頂壁外縁に垂設された側周壁とを具え、側周壁の内周下部には、キャップ本体の蓋係合筒部に係合する係合段部が凹設され、側周壁の下端面には、キャップ本体の外周リングと外筒との間に嵌挿されるリング状筒が垂設されていることを特徴とする構成を採用する。
【０００７】
リング状筒の実施例として、リング状筒の内周下端には、内方が外筒の外周上部と係合するシール突条が突設されていることを特徴とする構成を採用する。
【発明の効果】
【０００８】
本発明のヒンジキャップは、上蓋の側周壁の下端面に垂設されたリング状筒が、閉蓋時にキャップ本体の外周リングと外筒との間の隙間内に嵌挿されることにより、閉蓋後に、加熱された内容液、または、温水シャワーによるキャップ内の空気の圧力上昇により、上蓋の側周壁を外側に変形させようとしても、上蓋のリング状筒の外周が外周リングの内周上部に当接して、側周壁が外側へ広がることを防止でき、上蓋が開蓋することを防止できる。
【０００９】
また、上蓋のリング状筒の内周がキャップ本体の外筒の外周上部と嵌合するので、温水シャワーの水がキャップ内に進入することを防止することができる。
【図面の簡単な説明】
【００１０】
【図１】本発明のヒンジキャップの閉蓋状態を示す断面側面図で、（ａ）は全体図、（ｂ）は要部拡大図である。
【図２】ヒンジキャップの開蓋状態を示す図で、（ａ）は上面図、（ｂ）は断面側面図である。
【発明を実施するための形態】
【００１１】
次に、本発明のヒンジキャップの実施形態について、図面を参照して説明する。
図１、２において、Ａは容器の口筒部に装着されるキャップ本体、ＢはヒンジＣを介してキャップ本体Ａに連設された上蓋である。
【００１２】
キャップ本体Ａは、容器の口筒部に装着される装着筒部１と、注出筒部２と、装着筒部１の外周に隙間ａを形成して連設され、外周上端の所定の個所にヒンジＣが連設される外周リング３とからなっている。
【００１３】
装着筒部１は、周縁上面に蓋係合筒部４を立設した環状の上壁５と、上壁５の内周縁から垂設された内筒６と、上壁５の外周縁から垂設された外筒７とからなっている。
【００１４】
蓋係合筒部４の外周には、上蓋Ｂと係合する外向き突条８が設けられている。
【００１５】
外筒７の内周下部には、容器の口筒部外周に係合する係合突部９が設けられており、外筒７の外周下端部には、ヒンジＣ側と反対側に配設された連結片１０と、連結片１０の両側からヒンジＣ側に隙間をおいて複数配設された破断可能な弱化片１１が連設されている。
連結片１０と弱化片１１の外縁には、外周リング３の内周下端部が連設され、隙間ａを形成して外周リング３は外筒７に連設されている。
【００１６】
注出筒部２は、装着筒部１の内筒６の内周下部に連設し、上方に延びる注出筒１２と、注出筒１２の内周の所定位置に設けられた隔壁１３とを具え、隔壁１３には、弱化溝１４によって注出口を形成する除去部１５が形成されている。
除去部１５には、支柱を介してプルリング１６が立設されている。
【００１７】
上蓋Ｂは、頂壁２０と、頂壁２０外縁に垂設され、外周下端の所定位置にヒンジＣが連設されるとともに、ヒンジＣの反対側に摘み片を形成した側周壁２１と、頂壁２０の下面に垂設され、外周下端がキャップ本体Ａの注出筒１２の内周に係合する内筒壁２２とを具えている。
【００１８】
側周壁２１の内周下部には、キャップ本体Ａの蓋係合筒部４に係合する係合段部２３が凹設され、側周壁２１の下端面には、キャップ本体Ａの外周リング３と外筒７との間の隙間ａ内に挿入されるリング状筒２４が垂設されている。
【００１９】
係合段部２３は、蓋係合筒部４上面と係合する頂面２３ａと、蓋係合筒部４の外周面と係合する内周面２３ｂとを具え、内周面２３ｂの下部には、上部が蓋係合筒部４の外向き突条８の下部に係合する内向き突条２５が突設されている。
【００２０】
リング状筒２４の内周下端部には、内方が外筒７の外周上部と係合するシール突条２６が突設されている。
【００２１】
次に、本発明のヒンジキャップの使用態様と作用効果について説明する。
容器に加熱された内容液を充填された後、上蓋Ｂを閉じ、キャップ本体Ａと上蓋Ｂが係合して閉蓋されたヒンジキャップを容器の口部に打栓して装着する。
次いで容器外部より温水シャワーで洗浄、冷却する。
【００２２】
上蓋Ｂを閉蓋する際には、上蓋Ｂの側周壁２１の係合段部２３とキャップ本体Ａの蓋係合筒部４が係合するとともに、係合段部２３の内向き突条２５の上部と蓋係合筒部４の外向き突条８の下部とが嵌合して第１シール部を形成する。
【００２３】
また、閉蓋時に、上蓋Ｂの側周壁２１のリング状筒２４がキャップ本体Ａの外周リング３と外筒７との間の隙間ａ内に嵌挿され、リング状筒２４のシール突条２６の内方が外筒７の外周上部と係合して第２シール部を形成するとともに、リング状筒２４の外周が外周リング３の内周上部と当接し、閉蓋される。
【００２４】
本発明のヒンジキャップは、外周リング３の円周形状が、成形時、または、打栓に起因する変形、ひずみなどの製品の形状不良があっても、上蓋Ｂのリング状筒２４がキャップ本体Ａの外周リング３と外筒７との間に嵌挿され、リング状筒２４の外周が外周リング３の内周上部と係合することにより、外周リング３を円周形状を元に戻し、見栄えのよい形状で保持することができる。
【００２５】
また、閉蓋後に、加熱された内容液、または、温水シャワーによってキャップ内の空気が加熱され、圧力が上昇し、上蓋Ｂの側周壁２１を外側に変形させようとしても、上蓋Ｂのリング状筒２４の外周が外周リング３の内周上部に係合して、側周壁２１が外側へ広がることを防止でき、側周壁２１の係合段部２３の内向き突条２５の上部とキャップ本体Ａの蓋係合筒部４の外向き突条８の下部との嵌合力を弱めることがなく、上蓋Ｂが開蓋してしまうことを防止することができる。
【００２６】
さらに、リング状筒２４のシール突条２６の内周端が外筒７の外周上部と嵌合することにより第２シール部が形成され、温水シャワーの水がキャップ内に進入すること、または、冷却によるキャップ内の負圧により、キャップ内へ水を吸い込んでしまうことを防止することができる。
【００２７】
本発明のヒンジキャップは、消費者が内容物を全て使用した後、分別廃棄する。  
その際は、まず、上蓋Ｂを開蓋して引張り上げることにより、ヒンジＣを介してキャップ本体Ａの外周リング３を引き上げると、外周リング３と装着筒部１の外筒７との間の弱化片１１をヒンジＣ側から破断していく。
さらに上蓋Ｂを引張ると、外周リング３と外筒７との間の連結片１０を支点として外周リング３のヒンジＣ側が上昇し、外周リング３の連結片１０側も上昇する。
そして、連結片１０を介して外筒７の下端部が引張られることによって外筒７が変形し、キャップ本体Ａの外筒７と容器の口筒部との係合が外れ、ヒンジキャップを容器から外して、分別廃棄することができる。
【産業上の利用可能性】
【００２８】
本発明のヒンジキャップは、閉蓋の際に、上蓋の側周壁の下面に垂設したリング状筒が、キャップ本体の外周リングと外筒との間の隙間内に嵌挿されることで、内容液等の加熱によるキャップ内の内圧上昇による上蓋の側周壁の変形を防止するとともにシャワー温水などのキャップ内への侵入を防止するので、各種の加熱内容液を充填する容器のヒンジキャップとして広く利用することができる。
【符号の説明】
【００２９】
Ａ              キャップ本体
Ｂ              上蓋
Ｃ              ヒンジ
ａ              隙間
１              装着筒部
２              注出筒部
３              外周リング
４              蓋係合筒部
５              上壁
６              内筒
７              外筒
８              外向き突条
９              係合突部
１０            連結片
１１            弱化片
１２            注出筒
１３            隔壁
１４            弱化溝
１５            除去部
１６            プルリング
２０            頂壁
２１            側周壁
２２            内筒壁
２３            係合段部
２３ａ          頂面
２３ｂ          内周面
２４            リング状筒
２５            内向き突条
２６            シール突条
【図１】
2014008985.tif 000003
【図２】
2014008985.tif 000004